(57)【要約】【課題】  本発明は、治療位置に制限されず、寿命が長い、歯科コンポーネントインプラントを提供することを目的とする。【解決手段】  本発明の歯科コンポーネントインプラントは複数の脚部インプラント体と歯根台座部とアバットメントとを含む複合構造を有する。そして、脚部インプラント体は歯根として歯槽骨に埋入されて固定され、かつ脚構造を成している。また、歯根台座部は、各脚部インプラント体が移動自在に挿入される維持孔を有し、この維持孔に挿入された各脚部インプラント体をまとめる機能を有している。更に、アバットメントは、歯根台座部と連結され、歯冠を装填するための支台である。よって、このような複合構造を有する本発明によれば、治療位置に制限されず汎用性が高く、噛み合う際の荷重が各脚部インプラント体に分散して偏った応力の集中を避けられ、この荷重がアバットメントの長軸方向に加わることで、インプラント全体の寿命が長くなる。【選択図】        図１
2007252836.tif 000002
【特許請求の範囲】
【請求項１】
歯根として歯槽骨に埋入されて固定され、かつ脚構造を成す複数の脚部インプラント体と、
各脚部インプラント体が移動自在に挿入される維持孔を有し、該維持孔に挿入された各脚部インプラント体をまとめる機能を有する歯根台座部と、
該歯根台座部と連結され、歯冠を装填するための支台であるアバットメントと
を含む複合構造を有することを特徴とする歯科コンポーネントインプラント。
【請求項２】
前記脚部インプラント体は、歯槽骨と螺合して固定するためネジ部を有する請求項１記載の歯科コンポーネントインプラント。
【請求項３】
前記脚部インプラント体の頭部には、前記歯根台座部に係止されるために、前記維持孔の内径より大きい外径を有する係止部が設けられている請求項１又は２に記載の歯科コンポーネントインプラント。
【請求項４】
前記歯根台座部と前記アバットメントが連結するための連結部を、前記歯根台座部及び前記アバットメントにそれぞれ設ける請求項１記載の歯科コンポーネントインプラント。
【発明の詳細な説明】
【技術分野】
【０００１】
本発明は歯科コンポーネントインプラントに関し、詳細には欠損歯の補綴治療の一つであるインプラント治療に用いられるインプラントの構造に関する。
【背景技術】
【０００２】
虫歯や歯周病などによって歯がなくなった場合に処置する補綴治療は、できるだけ天然歯に近い人工歯を入れ、噛む機能を蘇らせる治療方法である。この補綴治療の一つである義歯（入れ歯）では、柔らかい歯肉とその下の顎の骨の形が常に変化するために、長期間に渡っての噛む機能を果たすことができなくなることがある。そこで、歯だけでなく歯根も交換して歯の代わりとして歯根部となるインプラント体を顎の骨の中に埋め込んでそのインプラント体に上部構造物の歯冠を装填するインプラント治療が注目されている。顎の骨は治癒期間中に埋め込まれたインプラント体の周囲で育成し、埋め込まれたインプラント体は最終的に顎の骨にしっかりと固定される。そして、インプラント体にアバットメントと称する支台部が連結され、その支台部の上に新しい歯冠を装着する。このようにインプラント治療方法は、処置後のメンテナンスさえ行っていれば、半永久的な歯となり、有効な補綴治療方法である。このインプラント治療で用いられるインプラント体として、従来よりいくつかの提案がなされている。
【０００３】
その一つとして、特許文献１には、患者の歯槽骨に挿入するためのインプラント体と、インプラント体の内部に螺合するアバットメントとが同軸状に結合する単一歯根型の歯科インプラントが提案されている。
【０００４】
ところで、インプラント体を埋め込む上顎骨や下顎骨は、図５及び図６に示すような構造となっている。図５に示す上顎骨５１はピラミッド形状をなし、その内側には上顎洞５２や鼻腔５３と呼ばれる空洞がそれぞれ存在する。その上顎洞５２や鼻腔５３を形成する上顎骨５１の厚みや緻密質は非常に薄く、また内部を占める海綿骨の骨梁が少なく、上顎骨５１は全体として脆弱な構造を成している。よって、上顎骨５１にインプラント体を埋入する場合インプラント体の維持を目的とする骨再生誘導法による骨補充を行うなど付加的な手術を行う必要があった。また、上顎骨５１は下顎骨に比較して緻密骨が薄い。このため構造力学的には、歯を介して顎骨に加わる応力を「壁構造」により緩衝、負担する形態となっている。このため、ヒトの上顎の大臼歯部は歯根が３脚に分かれてその応力を負担する構造となっている。しかし、従来のインプラント体では、上述のヒト本来の生理学的構造を無視して、同一形態のインプラント体により埋入手術を行ってきた。このため、上顎のインプラント体の耐用年数は下顎に比較して格段に短く、また難症例となって、さまざまなトラブルを引き起こしてきた。
【０００５】
また、図６に示す下顎骨６１は馬蹄形をなす下顎体６１−１と、その下顎体の後方に位置する下顎枝６１−２とに大別され、図５の上顎骨５１に比して厚みや緻密質は厚い。しかし、下顎骨６１の上部にある歯肉６２の内部には下歯槽神経６３が走っており、そのために、特許文献１に提案されている単一歯根型のインプラント体を用いる場合、この下歯槽神経６３の位置を避けてインプラント体を埋め込まなければならない。
【０００６】
そこで、特許文献２に提案され、図７に示すような、インプラント体７１の中心軸ａに対して斜めの中心軸ｂの方向に延びた構造を有する角度付きアバットメント７２を用いて、図６の下歯槽神経６３を避けるようにインプラント体７１を顎骨に傾斜埋入する方法が採られている。
【特許文献１】特開２００４−２０２９３９号公報
【特許文献２】特開２００５−０５２１７５号公報
【発明の開示】
【発明が解決しようとする課題】
【０００７】
しかしながら、特許文献２のようなインプラント治療方法では、インプラント体７１の傾斜埋入の傾斜角が大きくなるほど、噛み合った際に生じる曲げモーメントが大きくなり、そしてインプラント体７１に加わる応力が大きくなってインプラント体７１の寿命が短くなるという問題点があった。
【０００８】
本発明はこのような問題点を解決するためのものであり、治療位置に制限されず、寿命が長い、歯科コンポーネントインプラントを提供することを目的とする。
【課題を解決するための手段】
【０００９】
前記問題点を解決するために、本発明の歯科コンポーネントインプラントは、複数の脚部インプラント体と歯根台座部とアバットメントとを含む複合構造を有する。そして、脚部インプラント体は、歯根として歯槽骨に埋入されて固定され、かつ脚構造を成している。また、歯根台座部は、各脚部インプラント体が移動自在に挿入される維持孔を有し、この維持孔に挿入された各脚部インプラント体をまとめる機能を有している。更に、アバットメントは、歯根台座部と連結され、歯冠を装填するための支台である。よって、このような複合構造を有する本発明によれば、治療位置に制限されず汎用性が高く、噛み合う際の荷重が各脚部インプラント体に分散して偏った応力の集中を避けられ、この荷重がアバットメントの長軸方向に加わることで、インプラント全体の寿命が長くなる。
【００１０】
また、脚部インプラント体は、歯槽骨と螺合して固定するためネジ部を有している。更に、脚部インプラント体の頭部には、歯根台座部に係止されるために、維持孔の内径より大きい外径を有する係止部が設けられている。また、歯根台座部とアバットメントが連結するための連結部が、歯根台座部及びアバットメントにそれぞれ設けられている。
【発明の効果】
【００１１】
本発明によれば、上顎骨や下顎骨の形状、また下顎骨の下部に走っている下歯槽神経の位置に関係なく埋入可能となり、かつ複数の脚部インプラント体により歯根台座部を支持することにより噛み合う際の荷重が各脚部インプラント体に分散して偏った応力の集中を避けられ、荷重がアバットメントの長軸方向に加わることで、インプラント全体の寿命が長くなる。
【発明を実施するための最良の形態】
【００１２】
図１は本発明の一実施の形態例に係る歯科コンポーネントインプラントの構造を示す斜視透視図である。図２は図１の脚部インプラント体の構成を示す構成図であり、同図の（ａ）は平面図、同図の（ｂ）は正面図である。図３は図１の歯根台座部の構成を示す構成図であり、同図の（ａ）は平面図、同図の（ｂ）は正面図である。また、図４は図１のアバットメントの構成を示す正面図である。図１に示す本実施の形態例の歯科コンポーネントインプラント１０は、上顎骨や下顎顎の歯槽骨に埋入れて歯根としての機能を有し、脚構造を成す複数の脚部インプラント体１１と、各脚部インプラント体１１が移動自在に挿入される維持孔１２が設けられ、当該維持孔１２に挿入された各脚部インプラント体１１をまとめる機能を有し、かつ図４に示すアバットメント１４が固定される歯根台座部１３と、図示していない歯冠を装填するための支台であるアバットメント１４とを含んで構成されている。なお、これらの構成部材は、主に、生体との親和性が良く腐食もない、更には金属アレルギーも少ない純チタンで作成されている。また、脚部インプラント体１１の本数は、図１に示す本実施の形態例の場合は安定さを鑑み３本としているが、２本又は４本以上でも良い。
【００１３】
次に、本実施の形態例の歯科コンポーネントインプラント１０の複合構造を構成する各構成部材について詳細に説明すると、脚部インプラント体１１は、図１及び図２に示すように、脚部表面に患者の歯槽骨と螺合するためのネジ部１５が形成され、更に脚部インプラント体１１が歯根台座部１３の維持孔１２に挿入された際に歯根台座部１３に係止されるために、維持孔１２の内径より大きい外径を有する係止部１６が設けられている。更に、係止部１６の頭部には、患者の歯槽骨に螺合して埋入する際に用いられる装填治具（図示せず）と契合する溝１７が形成されている。また、各脚部インプラント体１１の長手方向の長さは、治療位置に応じて、又は歯根台座部１３の角度、つまりアバットメント１４及び後述する歯冠の方向に応じて設定すれば良いが、安定さから鑑み同じ長さが好ましい。
【００１４】
更に、図１及び図３に示すように、歯根台座部１３のほぼ中心には、アバットメント１４と連結するための連結部１８が設けられている。この連結部１８は、例えばアバットメント１４と螺合する連結機構であればネジ溝が設けられるがこれに限定する必要はなく、咬み合う連結機構の場合はアバットメント１４と咬みあう段差部が設けられている。なお、歯根台座部１３の外径φは８．０〜１０．０ｍｍ、連結部１８の外径φは２．６〜３．５ｍｍとするが、これに限定する必要はない。
【００１５】
また、図１及び図４に示すように、アバットメント１４のほぼ中心には、歯根台座部１３の連結部１８と螺合するネジ溝が設けられた切欠きの連結部１９が設けられている。このようなアバットメント１４の上部には図４のように歯冠２０がセットされる。
【００１６】
次に、以上説明したような複合構造を有する本実施の形態例の歯科コンポーネントインプラント１０を用いた主なるインプラント治療について以下に説明する。
【００１７】
先ず、失歯した歯槽頂部を切開し、ツイストドリルを用いて現れた歯槽骨に各脚部インプラント体１１をそれぞれ所定の埋入窩の埋入方向に埋入するための埋入窩を形成する。なお、この埋入窩の埋入方向、つまり脚部インプラント体１１の埋入方向は、アバットメント１４の長軸方向に対して傾斜させてもよく、従来に比して制限はない。そして、各脚部インプラント体１１を歯根台座部１３の維持孔１２に通し、脚部インプラント体１１の係止部１６の頭部に設けられた溝１７に装填治具を契合させて各脚部インプラント体１１を低速回転させて各埋入窩に冷却水を注水しながら埋入していく。その後、脚部インプラント１１がある程度埋入された後歯根台座部１３の設置位置や設置角度を定めて、各脚部インプラント１１のそれぞれ最終的な締め付けを行う。そして、歯根台座部１３の連結部１８をアバットメント１４の連結部１９を連結させて歯根台座部１３とアバットメント１４を結合され、歯冠２０を装填させる。
【００１８】
このように、本実施の形態例の歯科コンポーネントインプラントによれば、上顎骨や下顎骨の形状、また下顎骨の下部に走っている下歯槽神経の位置に関係なく埋入可能であり、かつ複数の脚部インプラント体により歯根台座部を支持することにより噛み合う際の荷重が各脚部インプラント体に分散して偏った応力の集中を避ける共に当該荷重がアバットメントの長軸方向に加わることでインプラント全体の寿命が長くなる。これにより、骨増量などの骨再生誘導法による付加的手術も不要となり、骨不足、埋入不適症例へのインプラント埋入術の応用が可能となる。
【００１９】
なお、本発明は上記実施の形態例に限定されるものではなく、特許請求の範囲内の記載であれば多種の変形や置換可能であることは言うまでもない。
【図面の簡単な説明】
【００２０】
【図１】本発明の一実施の形態例に係る歯科コンポーネントインプラントの構造を示す斜視透視図である。
【図２】図１の脚部インプラント体の構成を示す構成図である。
【図３】図１の歯根台座部の構成を示す構成図である。
【図４】図１のアバットメントの構成を示す正面図である。
【図５】患者の上顎骨の構造を示す概略図である。
【図６】患者の下顎骨の構造を示す部分断面図である。
【図７】従来のインプラントの構成を示す正面図である。
【符号の説明】
【００２１】
１０；歯科コンポーネントインプラント、
１１；脚部インプラント体、１２；維持孔、１３；歯根台座部、
１４；アバットメント、１５；ネジ部、１６；係止部、
１７；溝、１８，１９；連結部、２０；歯冠、７１；インプラント体、
７２；角度付きアバットメント。
【図１】
2007252836.tif 000003
【図２】
2007252836.tif 000004
【図３】
2007252836.tif 000005
【図４】
2007252836.tif 000006
【図５】
2007252836.tif 000007
【図６】
2007252836.tif 000008
【図７】
2007252836.tif 000009